(57)【要約】      （修正有）【課題】使用者が抱っこ紐を利用し、赤ちゃんを前に抱っこする時、赤ちゃんの頭が揺れたり、倒れないよう安全に支えてくれる抱っこ紐用補助器具を提供する。【解決手段】抱っこ紐用補助器具１００は補助部２００及び頭支持部３００を含む。上記補助部は使用者１０が赤ちゃん２０を前に抱っこする時使用する抱っこ紐３０の前面に上記赤ちゃんの頭と対応する部位に入口を持ちながら、形成されたポケット及び上記ポケットの両端部各々から延長され、上記使用者の体に巻き付けて互いに結合固定される固定紐２２０を含む。上記頭支持部は上記ポケットの入口に挿入され、上記赤ちゃんの頭を支え、緩衝力を持つ材質を含む。【選択図】図１
0003232305.tif 000002
【実用新案登録請求の範囲】
【請求項１】
使用者が赤ちゃんを前に抱っこする時、使用する抱っこ紐の前面で上記赤ちゃんの頭と対応する部位に入口を持ちながら形成されたポケット及び上記ポケットの両端部各々から延長され、上記使用者の体に巻き付けて互いに結合固定される固定紐を含む補助部；及び上記ポケットの入口に挿入され、上記赤ちゃんの頭を支えながら、緩衝力を持つ材質を含む頭支持部を含む抱っこ紐用補助器具。
【請求項２】
第１項において、上記頭支持部は３Ｄメッシュ生地を含むことを特徴とする抱っこ紐用補助器具。
【請求項３】
第１項において、上記固定紐各々の長さは互いの合計が上記使用者の体を少なくとも２回巻いて結合固定するよう形成されたものを特徴とする抱っこ紐用補助器具。
【請求項４】
第１項において、上記補助部は上記ポケットの入口に装着され、上記シワ方式により締めたり緩めたりして遮断及び開放する調節紐をさらに含むことを特徴とする抱っこ紐用補助器具。
【請求項５】
第４項において、上記調節紐は上記ポケットを裏返すとき、露出されるよう上記入口の内側から外側に延長された構造で装着されたものを特徴とする抱っこ紐用補助器具。
【考案の詳細な説明】
【技術分野】
【０００１】  本考案は抱っこ紐用補助ベルト装置に関するもので、さらに詳細には使用者が抱っこ紐を利用し、赤ちゃんを抱っこして移動する際、赤ちゃんの頭を安全に支えることが抱っこ紐用補助器具に関するものである。
【背景技術】
【０００２】  赤ちゃんは実質歩行が不可能であり、移動する際には使用者が安全に抱っこすることになるが、ただ抱っこした状態で移動する場合、長時間の移動が実際に難しく、一般的には使用者が抱っこした赤ちゃんを安全に支えてくれる抱っこ紐を使用する。【０００３】  このような抱っこ紐は安全の核心として便利さまで提供しなければならず、通常、使用者が赤ちゃんを前に抱っこした状態で赤ちゃんの背中とお尻を使用者の肩と腰に連結ベルトをつけ、支える構造を持っている。  これについては日本公開特許公報第２０１６−１６１７１号（発明の名称；ベビーキャリア）に一部類似した技術が掲示されている。しかし、上記ラップ型抱っこ紐の場合は赤ちゃんを抱っこした状態で赤ちゃんの頭が前に露出しており、移動中、赤ちゃんの頭が揺れたり、ひどい場合は倒れ、怪我をする可能性があることから、使用者が常に注意し、赤ちゃんの頭を手で支えてあげなくてはならない不便な問題点がある。
【先行技術文献】
【特許文献】
【０００４】
【特許文献１】日本公開特許公報第２０１６−１６１７１号（発明の名称；ベビーキャリア）
【考案の概要】
【考案が解決しようとする課題】
【０００５】  本考案の目的は使用者が抱っこ紐を利用し、赤ちゃんを前に抱っこする時、上記赤ちゃんの頭が揺れたり、倒れないよう安全に支えてくれる抱っこ紐用補助器具を提供することである。
【課題を解決するための手段】
【０００６】  本考案の目的を達成するために、抱っこ紐用補助器具は特徴のある補助部及び頭の支持部を含む。上記補助部は使用者が赤ちゃんを前に抱っこする時、使用する抱っこ紐の前面に上記赤ちゃんの頭と対応する部位に入口を持ちながら形成されたポケット及び上記ポケットの両端部各々から延長され、上記使用者の体に巻き、互いに結合固定される固定紐を含む。上記頭支持部は上記ポケットの入り口に挿入され、上記赤ちゃんの頭を支持し、緩衝力を持つ材質を含む。上記頭支持部は通気性と支持力のため、３Ｄまたはエアメッシュ生地を含むことができる。上記固定紐各々の長さは互いの合計が上記使用者の体を少なくても２回巻き、結合固定できるよう形成されることができる。上記補助部は上記ポケットの入り口に装着され、入口をシワ方式により締めたり広げたりし、遮断及び開放する絞り紐をさらに含むことができる。上記絞り紐は上記ポケットを裏返した際、露出するよう上記入り口の内側から外部に延長する構造で装着することができる。
【考案の効果】
【０００７】  上記の本考案の補助器具の実施例によると、使用者が抱っこ紐を利用し、抱っこした赤ちゃんの頭を補助部のポケットの入口に挿入された緩衝力のある材質を持つ支持部を通じて、快適で安全に支えてくれることにより、上記使用者は移動中、上記本考案の背景となる技術のように上記赤ちゃんの頭に常に注意を傾けながら支える必要がなくなり、便利かつ安全に活動することができる。
【図面の簡単な説明】
【０００８】
【図１】図１は本考案の一実施例による抱っこ紐に補助器具を装着した使用者の横からの姿を表した図面である。
【図２】図２は図１に図示された補助器具を装着した使用者の正面からの姿を表した図面である。
【図３】図３は図２に図示された補助器具を具体的に表した図面である。
【図４】図４は図３に図示された補助器具から補助部の固定紐を通して使用者が固定した状態を表した図面である。
【図５】図５は図３に図示された補助器具から補助部の固定紐を通して使用者が固定した状態を表した図面である。
【図６】図６は図３に図示された補助器具の補助部を利用し、頭カバー部のように抱っこ紐が収納される状態を表した図面である。
【図７】図７は図３に図示された補助器具の補助部を利用し、頭カバー部のように抱っこ紐が収納される状態を表した図面である。
【図８】図８は図３に図示された補助器具の補助部を利用し、頭カバー部のように抱っこ紐が収納される状態を表した図面である。
【図９】図９は図３に図示された補助器具の補助部を利用し、頭カバー部のように抱っこ紐が収納される状態を表した図面である。
【考案を実施するための形態】
【０００９】  以下、添付した図面を参照し、本考案の実施例による抱っこ紐用補助器具について詳細に説明する。本考案は多様な背景を加えることができ、様々な形態を持つことができることを、特定の実施例を図面に例示して本文に詳細に説明することとする。しかし、これは本考案を特定の掲示形態について限定しようとすることでなく、本考案の思想及び技術範囲に含まれるすべての背景、均等物ないし代替物を含むこととして理解されなければならない。各図面を説明しながら類似した参照符号を類似した構成要素について説明する。添付した図面において、構造物の値は本考案の明確性を期するために実際より拡大し、図示したものである。第１、第２などの用語は多様な構成要素を説明するのに使用されるが、上記構成要素は上記用語によって限定されるものではない。上記用語は一つの構成要素を異なる構成要素から区別する目的でのみ使用される。例えば、本考案の権利範囲を超えずに第１構成要素は第２構成要素として名づけることができ、同じように第２構成要素も第１構成要素として名づけることができる。本出願において使用された用語はただ特定の実施例を説明するため使用されたもので、本考案を限定する意図はない。単数の表現は文脈上、明確に異なって意味しない限り複数の表現を含む。本出願で、「含む」または「持つ」などの用語は明細書上に記載された特徴、数字、段階、動作、構成要素、部分品またはこれらを組み合わせたものが存在することを指定するものであり、一つまたはそれ以上の異なる特徴や数字、段階、動作、構成要素、部分品またはこれらを組み合わせたものの存在または付加可能性を予め排除していないこととして理解されなければならない。
【０００１０】  一方、異なって定義されていない限り、技術的や科学的な用語を含めてここで使用される全ての用語は本考案が属する技術分野で通常の知識を持つ者によって一般的に理解されることと同一の意味を持っている。一般的に使用される辞典に定義されているように用語は関連技術の文脈上持っている意味と一致する意味をもつものとして解釈されなければならず、本出願で明確に定義されない限り、理想的や過度に形式的な意味として解釈されない。
【００１１】  図１は本考案の一実施例による抱っこ紐に補助器具を装着した使用者の横からの姿を表した図面で、図２は図１に図示された補助器具を装着した使用者の正面からの姿を表した図面であり、図３は図２に図示された補助器具を具体的に表した図面である。図１ないし図３に図示するように、本発明の一実施例による補助器具（１００）は補助部（２００）及び頭支持部（３００）を含む。
【００１２】  上記補助部（２００）は使用者（１０）が赤ちゃん（２０）を前に抱っこする時使用する抱っこ紐（３０）の前面で上記抱っこ紐（３０）に安定性を追加し、提供する役割である。このような補助部（２００）はポケット（２１０）及び固定紐（２２０）を含む。
【００１３】  上記ポケット（２１０）は上記赤ちゃん（２０）の頭と対応する部位に入口（２１２）を持ちながら形成される。この時、上記ポケット（２１０）の入口（２１２）は使用者（１０）が上記抱っこ紐（３０）で上記赤ちゃん（２０）を抱っこした状態で以下で詳細に説明する上記頭支持部（３００）を簡単に挿入することができ、簡単に外れることがないよう上部に開くよう形成することができる。
【００１４】  記固定紐（２２０）各々は上記ポケット（２１０）の両端部各々から延長される。上記固定紐（２２０）各々は上記使用者（１０）の体に巻き付けて、互いに結合固定される。これに、上記補助器具（１００）は上記使用者（１０）が上記固定紐（２２０）各々で自身の体に巻き付けて、互いに結合させることで固定することができる。また、上記固定紐（２２０）各々は安定的に固定するために、上記ポケット（２１０）と一体型の構造で製作することができる。
【００１５】  上記頭支持部（３００）は上記ポケット（２１０）の入口（２１２）に挿入され、上記赤ちゃん（２０）の頭を支える。具体的に、上記頭支持部（３００）は上記使用者（１０）が上記固定紐（２２０）を通して固定する力から伝達される支持力を通じて、上記赤ちゃん（２０）の頭を安定して支えることができる。この時、上記頭支持部（３００）に安定的な支持力を提供するために、上記固定紐（２２０）各々の長さは互いの合計が上記使用者（１０）の体を少なくとも２回巻いて結合固定するよう形成されるのが望ましい。
【００１６】  上記頭支持部（３００）は上記赤ちゃん（２０）に快適さと安定感を提供するために緩衝力を持つ材質を含むことができる。
例えば、上記頭支持部（３００）は上記の安定的な緩衝力はもちろん、網のような穴が細かく空いていることで通気性も良く、汗もかかずに衛生的なだけでなく、一般のメッシュに比べて圧縮回復性能に優れており、カビやダニの繁殖が難しく、これにより疾病感染も安全に予防することができる３Ｄメッシュまたはエアメッシュ生地を含むことができる。また、上記頭支持部（３００）は中心の支持帯が内部に挿入されたり、外部に付け加えて追加的な強度を補強し、上記赤ちゃん（２０）の頭をさらに安定して支えることができる。
【００１７】  このように、上記使用者（１０）が上記抱っこ紐（３０）を利用し、抱っこした上記赤ちゃん（２０）の頭を上記補助部（２００）の上記ポケット（２１０）の入口（２１２）に挿入された緩衝力材質を持つ上記頭支持部（３００）を通して、快適で安全に支えてあげることにより、上記使用者（１０）は移動中、上記本考案の背景となる技術でのように上記赤ちゃん（２０）の頭に常に注意を傾けながら、支えてあげる必要がなくなり、便利で安全に活動できる。
【００１８】  特に上記抱っこ紐（３０）の内上記使用者（１０）の肩を広く支えた状態で上記赤ちゃん（２０）を風呂敷形態で包んで抱っこし、移動することにより、長時間使用時の肩の痛みを最少化することができながら、装着も簡単でさらには価格まで低価格に抑えられるラップ型抱っこ紐（３０）の場合、その特性上、上記赤ちゃん（２０）の頭が前に露出するしかないことにより、上記赤ちゃん（２０）の頭を支えてくれる上記補助器具（１００）は上記ラップ型抱っこ紐（３０）にさらに効果的に活用することができる。
【００１９】  以下、図４及び図５を追加で参照し、上記使用者（１０）が上記固定紐（２２０）を使用し、結合固定する方式に対する一実施例をより詳細に説明する。
図４及び図５は図３に図示された補助器具で補助部の固定紐を通じて使用者が固定する状態を表した図面である。図４及び図５を追加で参照すると、上記使用者（１０）は上記固定紐（２２０）各々を上記抱っこ紐（３０）の前側から肩に延長された部位の内側各々にはめて背中の方に延長させる。
続いて、上記使用者（１０）は背中側で上記固定紐（２２０）各々を互いに交わるようにクロスさせ、両手各々で掴んだ固定紐（２２０）各々を互いに持ち替える。さらに、上記使用者（１０）は上記互いに持ち替えた固定紐（２２０）各々を前側で持ち、引っ張ってから結んで結合固定する。この時、上記使用者（１０）は上記頭支持部（３００）に安定した支持力が伝達されるようにしながら、上記赤ちゃん（２０）に無理な圧迫を与えないよう、上記固定紐（２２０）各々の長さを調節し、結合固定することができる。
本実施例はただ上記使用者（１０）が上記固定紐（２２０）各々を利用し、結合固定する方式のある一実施例を説明したもので、必要または場合によって、固定紐（２２０）各々を多様な方式で結合固定することができることも当業者の立場で十分理解することができる。
【００２０】  以下、図６ないし図９を追加で参照し、上記補助器具（１００）を別の用途で活用することができる構造について、より詳細に説明する。
図６ないし図９は図３に図示された補助器具の補助部を利用し、頭カバー部のように抱っこ紐が収納される状態を表した図面である。
【００２１】  図６ないし図９を追加で参照すると、まず上記補助器具（１００）の補助部（２００）で上記ポケット（２１０）の入口（２１２）を開き、上記頭支持部（３００）を取り出す。続いて上記ポケット（２１０）を通じて反対に裏返す。そうすると上記補助部（２００）の固定紐（２２０）が上記裏返ったポケット（２１０）に自動で収納され、外観上、上記裏返ったポケット（２１０）だけが見えるようになる。続いて、上記裏返ったポケット（２１０）の入口（２１２）に上記頭支持部（３００）のような上記赤ちゃん（２０）を抱っこする時、使用した上記抱っこ紐（３０）も一緒に入れて収納する。この時、上記補助部（２００）は上記ポケット（２１０）の入口（２１２）に装着され、上記入口（２１２）をシワ方式により締めたり緩めたりして、遮断及び開放する調節紐（２３０）をさらに含むことができる。続いて、上記調節紐（２３０）を締めて、上記入口（２１２）を遮断する。そうすると、上記裏返ったポケット（２１０）が上記補助器具（１００）及び上記抱っこ紐（３０）を収納する鞄の役割をすることになり、上記使用者（１０）はこれを通して簡単に運搬移動することができる。ここで、上記調節紐（２３０）は実質的に上記ポケット（２１０）が裏返る場合でのみ露出し使用され、上記ポケット（２１０）が裏返る前の上記入口（２１２）の内側から外部に延長された構造で装着されることが望ましい。
【００２２】  上記では本考案の望ましい実施例を参照し説明したが、該当技術分野の熟練した当業者は下記の特許請求の範囲に記載された本考案の思想及び領域から外れない範囲内で本考案を多様に修正及び変更することができる。
【符号の説明】
【００２３】１０：使用者        ２０：赤ちゃん
３０：抱っこ紐      １００：補助器具
２００：補助部      ２１０：ポケット
２２０：固定紐      ２３０：調節紐
３００：頭支持部
【図１】
0003232305.tif 000003
【図２】
0003232305.tif 000004
【図３】
0003232305.tif 000005
【図４】
0003232305.tif 000006
【図５】
0003232305.tif 000007
【図６】
0003232305.tif 000008
【図７】
0003232305.tif 000009
【図８】
0003232305.tif 000010
【図９】
0003232305.tif 000011
【手続補正書】
【提出日】令和3年1月29日(2021.1.29)
【手続補正１】
【補正対象書類名】実用新案登録請求の範囲
【補正対象項目名】全文
【補正方法】変更
【補正の内容】
【実用新案登録請求の範囲】
【請求項１】
使用者が赤ちゃんを前に抱っこする時、使用する抱っこ紐の前面で上記赤ちゃんの頭と対応する部位に入口を持ちながら形成されたポケット及び上記ポケットの両端部各々から延長され、上記使用者の体に巻き付けて互いに結合固定される固定紐を含む補助部；及び上記ポケットの入口に挿入され、上記赤ちゃんの頭を支えながら、緩衝力を持つ材質を含む頭支持部を含む抱っこ紐用補助器具。
【請求項２】
前記頭支持部は３Ｄメッシュ生地を含むことを特徴とする請求項１記載の抱っこ紐用補助器具。
【請求項３】
前記固定紐各々の長さは互いの合計が上記使用者の体を少なくとも２回巻いて結合固定するよう形成されたものであることを特徴とする請求項１記載の抱っこ紐用補助器具。
【請求項４】
前記補助部は上記ポケットの入口に装着され、上記ポケットの入口を締めたり緩めたりして遮断及び開放する調節紐をさらに含むことを特徴とする請求項１記載の抱っこ紐用補助器具。
【請求項５】
請求項４において、上記調節紐は上記ポケットを裏返すとき、露出されるよう上記入口の内側から外側に延長された構造で装着されたものであることを特徴とする抱っこ紐用補助器具